(57)【要約】【課題】静電容量センサを備えた操作入力装置において、誤検出を抑制すること。【解決手段】本発明に係る操作入力装置は、金属の建築部材に設置される操作入力装置において、静電容量センサと、前記静電容量センサの出力を検出する検出回路と、を備え、前記検出回路のグラウンドと前記建築部材とは、導電性部材によって電気的に接続されている。【選択図】図３
2019067531.tif 000002
【特許請求の範囲】
【請求項１】
金属を含む建築部材に設置される操作入力装置において、
静電容量センサと、
前記静電容量センサの出力を検出する検出回路と、を備え、
前記検出回路のグラウンドと前記建築部材とは、導電性部材によって電気的に接続されている
操作入力装置。
【請求項２】
前記導電性部材は前記操作入力装置を前記建築部材に固定する固定部である
請求項１に記載の操作入力装置
【請求項３】
前記建築部材と、前記グラウンドとの間には、前記建築部材と前記グラウンドとが電気的に接続されるか否かを切り替えるスイッチが設けられている
請求項１または請求項２に記載の操作入力装置。
【請求項４】
前記スイッチを自動で切り替える切り替え制御部と、
前記静電容量センサの静電容量の変化に基づいて、前記建築部材と前記グラウンドとが電気的に接続されるか否かを判定する判定部と、を備える
請求項３に記載の操作入力装置。
【請求項５】
前記静電容量センサよりも前記建築部材側に、確認用の静電容量センサを備え、
前記判定部は、前記確認用の静電容量センサの静電容量の変化に基づいて、前記建築部材と前記グラウンドとが電気的に接続されているか否かを判定する
請求項４に記載の操作入力装置。
【請求項６】
前記判定部の検出結果を報知する報知部を備える
請求項４または請求項５に記載の操作入力装置。
【請求項７】
前記建築部材と前記グラウンドとの間に、低周波除去手段が設けられている
請求項１乃至請求項６のいずれか１項に記載の操作入力装置。
【請求項８】
前記建築部材と前記グラウンドとの間に、ノイズ保護回路が設けられている
請求項１乃至請求項７のいずれか１項に記載の操作入力装置。
【発明の詳細な説明】
【技術分野】
【０００１】
本発明は、金属を含む壁面に設置される操作入力装置に関する。
【背景技術】
【０００２】
従来から、機器を操作するための操作入力装置への入力手段として、静電容量センサを用いたものが知られている（下記特許文献１参照）。
【０００３】
特許文献１に記載された操作入力装置において、静電容量センサは、送信電極と受信電極とを有し、この送信電極と受信電極との間の静電容量を検出回路によって検出する。そして検出した静電容量の変化量に応じて、人体が静電容量センサに接触しているか否かを判定することができる。
【先行技術文献】
【特許文献】
【０００４】
【特許文献１】特開２０１１−６９８１号公報
【発明の概要】
【発明が解決しようとする課題】
【０００５】
ここで、静電容量センサを備えた従来の操作入力装置を、金属を含む壁面に固定設置する場合、静電容量センサの電極が金属を含む壁面の影響を受けてしまう懸念がある。例えば、静電容量センサの電極と検出回路のグラウンドに同じノイズが印加された場合、通常であれば、静電容量センサの電極とグラウンドに同波形のノイズが流れるので、静電容量センサの電極と検出回路のグラウンドとの間に電圧差が生じず、誤動作は発生しない。しかしながら、操作入力装置を金属を含む壁面に固定設置するときに、同様のノイズが印加された場合、静電容量センサの電極と金属を含む壁面が近づいているため、静電容量センサの電極のノイズの一部が壁面に流れてしまう。静電容量センサの電極のノイズの一部が金属を含む壁面に流れると、静電容量センサ側のノイズが減り、静電容量センサの電極と検出回路のグラウンドとの間に電圧差が生じてしまう。この電圧差によって、操作入力装置が誤動作してしまい、操作入力装置によって駆動する機器が意図せず動作する、あるいは、操作入力装置を操作しても機器が動作しないといった不具合が生じてしまう懸念がある。
【０００６】
このような場合に、検出回路のグラウンドと同電位の金属保護部材を、静電容量センサの電極と金属を含む壁面との間に設置する方法がある。しかしながら、金属保護部材を設置することによって操作入力装置の厚みが増し、操作入力装置の意匠性が低下してしまうおそれがある。
【０００７】
本発明は、上述した課題を解決するためになされたものであり、金属を含む壁面に固定設置される場合に、静電容量センサの誤検出を抑制することのできる操作入力装置を提供することを目的とする。
【課題を解決するための手段】
【０００８】
上記目的を達成するために、本発明の一態様に係る操作入力装置によれば、金属を含む建築部材に設置される操作入力装置において、静電容量センサと、前記静電容量センサの出力を検出する検出回路と、を備え、前記検出回路のグラウンドと前記建築部材とは、導電性部材によって電気的に接続されている。
【０００９】
この構成によれば、静電容量センサの出力を検出する検出回路のグラウンドと建築部材とが、導電性部材によって電気的に接続されている、つまり、建築部材が検出回路のグラウンドと同電位となるため、静電容量センサと検出回路のグラウンド間に同じノイズが発生した場合における、建築部材の影響によって発生する誤検出を抑制することができる。
【００１０】
また、本発明の一態様に係る操作入力装置において、好ましくは、前記導電性部材は前記操作入力装置を前記建築部材に固定する固定部である。
【００１１】
この構成によれば、導電性部材は、操作入力装置を建築部材に固定する固定部であるため、操作入力装置を固定するだけで、グラウンドと建築部材とが電気的に接続される。これにより、導電性部材を別途設ける必要がなく、操作入力装置を構成する部品の数を削減することができる。
【００１２】
また、本発明の一態様に係る操作入力装置において、好ましくは、前記建築部材と、前記グラウンドとの間には、前記建築部材と前記グラウンドとが電気的に接続されるか否かを切り替えるスイッチが設けられている。
【００１３】
この構成によれば、建築部材とグラウンドとの間にはスイッチが設けられているため、例えば、操作入力装置を建築部材に施工するときにおいて、スイッチを切って操作入力装置の取付作業を行い、取付作業後にスイッチを入れてグラウンドと建築部材とを電気的に接続することができる。そのため、施工中に金属を含む建築部材に電気が流れてしまうことを抑制し、施工者の安全性を高めることができる。
【００１４】
また、本発明の一態様に係る操作入力装置において、好ましくは、前記スイッチを自動で切り替える切り替え制御部と、前記静電容量センサの静電容量の変化に基づいて、前記建築部材と前記グラウンドとが電気的に接続されているか否かを判定する判定部と、を備える。
【００１５】
この構成によれば、スイッチを自動で切り替えるとともに、静電容量センサの静電容量の変化量に基づいて建築部材とグラウンドとが電気的に接続されているか否かを判定するため、操作入力装置が施工不良の状態であることを判定することができる。これにより、操作入力装置の施工不良を抑制することができる。
【００１６】
また、本発明の一態様に係る操作入力装置において、好ましくは、前記静電容量センサよりも前記建築部材側に、確認用の静電容量センサを備え、前記判定部は、前記確認用の静電容量センサの静電容量の変化に基づいて、前記建築部材と前記グラウンドとが電気的に接続されているか否かを判定する。
【００１７】
この構成によれば、使用者の操作の検出に用いられる静電容量センサに比べて、より建築部材に近い側に確認用の静電容量センサを備えるため、より正確に、グラウンドと建築部材が電気的に接続されているか否かを判定することができる。
【００１８】
また、本発明の一態様に係る操作入力装置において、好ましくは、前記判定部の検出結果を報知する報知部を備える。
【００１９】
この構成によれば、判定部の検出結果を、報知部により報知するため、より確実に操作入力装置の施工不良を抑制することができる。
【００２０】
また、本発明の一態様に係る操作入力装置において、好ましくは、前記建築部材と前記グラウンドとの間に、低周波除去手段が設けられている。
【００２１】
この構成によれば、建築部材とグラウンドとの間に、低周波除去手段が設けられているため、建築部材からのノイズが低周波除去手段により除去される。これにより、建築部材の影響によって発生する誤検出をより確実に抑制することができる。
【００２２】
また、本発明の一態様に係る操作入力装置において、好ましくは、前記建築部材と前記グラウンドとの間に、ノイズ保護回路が設けられている。
【００２３】
この構成によれば、建築部材とグラウンドとの間に、ノイズ保護回路が設けられているため、建築部材からのノイズがノイズ保護回路により遮断される。これにより、建築部材の影響によって発生する誤検出をより確実に抑制することができる。
【発明の効果】
【００２４】
本発明によれば、操作入力装置が金属を含む壁面に固定設置する場合に、静電容量スイッチの誤検出を抑制することのできる操作入力装置を提供することができる。
【図面の簡単な説明】
【００２５】
【図１】本発明の第一実施形態に係る操作入力装置を浴室に取り付けた形態を模式的に示す図である。
【図２】本発明の第一実施形態に係る操作入力装置の要部構成を表すブロック図である。
【図３】本発明の第一実施形態に係る操作入力装置の断面を示す概略断面図である。
【図４】本発明の第二実施形態に係る操作入力装置の要部構成を示すブロック図である。
【図５】本発明の第三実施形態に係る操作入力装置の要部構成を示すブロック図である。
【図６】本発明の第四実施形態に係る操作入力装置の要部構成を示すブロック図である。
【発明を実施するための形態】
【００２６】
以下、本発明の実施の形態について添付図面を参照しながら説明する。なお、各図面中、同様の構成要素には同一の符号を付して詳細な説明は適宜省略する。
【００２７】
（第一実施形態）
まず、図１を参照して、本発明の第一実施形態に係る操作入力装置が設置される浴室について説明する。なお、以下においては、図中に示す方向を用いて説明する。
【００２８】
図１は、本発明の第一実施形態に係る操作入力装置を浴室に取り付けた形態を模式的に示す図である。
【００２９】
図１に示すように、浴室１は、建物の躯体に設けられ、浴室１は壁２で構成される。なお、壁２によって構成された浴室１という範囲には、浴室１に壁２とは別に、ドア３や窓等が設けられる場合も含む。この壁２は、第１〜第４の側壁２ａ〜２ｄと、天井２ｅ（天井板）と、床２ｆ（床板）と、によって構成される。
第１〜第４の側壁２ａ〜２ｄは、浴室１の四方を囲み、浴室１の側面を形成する。天井２ｅは、浴室１の天面を形成する。床２ｆは、浴槽の側方に位置する洗い場の床であり、浴室１の底面を形成する。浴室１は、第１〜第４の側壁２ａ〜２ｄと、天井２ｅと、床２ｆと、によって区画された空間である。
【００３０】
また、壁２のうち、少なくとも第１〜第４の側壁２ａ〜２ｄは金属を含む建築部材で形成され、浴室１内であって、第１〜第４の側壁２ａ〜２ｄの何れかには操作入力装置１１が設けられている。なお、本実施形態においては、操作入力装置１１は、第３の側壁２ｃに設けられている。また、図示は省略するが、浴室１には操作入力装置１１の操作によって運転操作される浴室機器（例えば、空調機器や浴槽掃除機器、浴室床掃除機器、浴室マッサージ機器、給湯機）が設けられる。
【００３１】
次に、図２及び図３を参照して、本発明の第一実施形態に係る操作入力装置について説明する。
【００３２】
図２は、本発明の第一実施形態に係る操作入力装置の要部構成を表すブロック図である。図３は、本発明の第一実施形態に係る操作入力装置の断面を示す概略断面図である。
【００３３】
図２に示すように、操作入力装置１１は、静電容量センサ２０と、検出回路３０と、検出回路３０のグラウンドである基板グラウンド４０と、を有している。
【００３４】
静電容量センサ２０は、静電容量式のセンサの電極であり、図示しない送信電極と受信電極とを有している。この送信電極と受信電極との間の静電容量は、信号線を介して検出回路３０に送られる。
【００３５】
検出回路３０は、静電容量センサ２０から送られる静電容量の変化量を検出する。例えば使用者が静電容量センサ２０に触れているときと、触れていないときの静電容量の変化量を、検出回路３０によって検出する。また、検出回路３０は、操作入力装置１１のコントローラ基板としての機能も有しており、検出回路３０の検出結果に基づいて、使用者が静電容量センサ２０に触れているか否か、つまり、操作入力装置１１が操作されているか否か、を判別し、浴室機器に指令信号を出力するようになっている。また、検出回路３０は、信号線を介して基板グラウンド４０に接続されている。
なお、図２では、検出回路３０と基板グラウンド４０とが別体に構成されているが、基板グラウンド４０は、検出回路３０に含まれていてもよい。
また、検出回路３０が、操作入力装置１１のコントローラ基板の機能を有している構成を説明したが、検出回路３０と別にコントローラ基板を設けてもよい。
【００３６】
検出回路３０と基板グラウンド４０とを接続する信号線には、導電性部材５０が電気的に接続されている。また、この導電性部材５０は、金属を含む建築部材である第３の側壁２ｃに電気的に接続されている。換言すると、基板グラウンド４０と、金属を含む建築部材である第３の側壁２ｃとは、導電性部材５０を介して電気的に接続されている。
【００３７】
また、図３に示すように、静電容量センサ２０は、第３の側壁２ｃ側とは反対側である、操作入力装置１１の筐体１１ａの前面側に設けられる。また、静電容量センサ２０において、筐体１１ａの前面側には、防水用の保護部材（図示せず）が設けられており、この保護部材の一部が、浴室１内へ露出するようになっている。使用者は静電容量センサ２０の前面側に設けられた保護部材の露出部分に触れることで、操作入力装置１１が操作されるように構成されている。
【００３８】
導電性部材５０は、ネジ５１と、ネジ挿通部５２と、を有しており、操作入力装置１１の上方及び下方においてそれぞれ１組ずつ設けられている。なお、導電性部材５０の数は限定されず、上方及び下方において、それぞれ２組ずつ設けてもよい。
【００３９】
ネジ挿通部５２は、操作入力装置１１の筐体１１ａ内部に設けられるとともに、検出回路３０のグラウンド４０と電気的に接続されている。このネジ挿通部５２にネジ５１を挿通させると、ネジ挿通部５２とネジ５１とが接触する。さらに、ネジ５１の一部が操作入力装置１１の筐体１１ａの外部であって第３の側壁２ｃ側に突出しており、突出した部分が建築部材である壁２（第３の側壁２ｃ）に固定されている。このように、建築部材である壁２（第３の側壁２ｃ）に固定されることで、操作入力装置１１が建築部材である壁２（第３の側壁２ｃ）に固定される。換言すると、導電性部材５０のネジ５１とネジ挿通部５２とが操作入力装置１１を壁２に固定する固定部としての機能を有している。
そして、基板グラウンド４０と、金属を含む建築部材である壁２（第３の側壁２ｃ）とが、ネジ５１及びネジ挿通部５２とを介して、電気的に接続される。
なお、ネジ挿通部５２の全体が操作入力装置１１の筐体１１ａの内部に収容される構成を説明したが、ネジ挿通部５２はグラウンド４０と電気的に接続されていればよく、ネジ５１との係合部分が、筐体１１ａから突出しているような構成でもよい。これによりネジ５１をネジ挿通部５２に取り付けるときの施工性を向上させることができる。
【００４０】
このように、本発明の一態様に係る操作入力装置１１によれば、静電容量センサ２０の出力を検出する検出回路３０の基板グラウンド４０と金属を含む建築部材である壁２（第３の壁２ｃ）とが、導電性部材５０によって電気的に接続されている。つまり、金属を含む建築部材である壁２（第３の壁２ｃ）が、基板グラウンド４０と同電位となるため、静電容量センサ２０と検出回路４０に同じノイズが発生した場合における、金属を含む建築部材である壁２の影響によって発生する誤検出を抑制することができる。
【００４１】
また、本発明の一態様に係る操作入力装置１１によれば、導電性部材５０は、ネジ５１とネジ挿通部５２と、を有し、ネジ５１とネジ挿通部５２とが、操作入力装置１１を壁２に固定する固定部として機能する。そのため、操作入力装置１１を固定するだけで、基板グラウンド４０と建築部材である壁２とが電気的に接続される。これにより、導電性部材を別途設ける必要が無く、操作入力装置１１を構成する部品の数を削減することができる。
【００４２】
（第二実施形態）
次に、図４を参照して、本発明の第二実施形態に係る操作入力装置について説明する。なお、前述した実施形態と同様の部分については、同一の符号を付し、説明は省略する。
【００４３】
図４は、本発明の第二実施形態に係る操作入力装置の要部構成を表すブロック図である。
【００４４】
図４に示すように、第二実施形態に係る操作入力装置１２においては、前述した操作入力装置１１に比べて、判定部３１、切り替え制御部３２、ＯＮ／ＯＦＦスイッチ６０、確認用静電容量センサ７０、報知部８０が設けられる。
【００４５】
操作入力装置１２において、建築部材である壁２と基板グラウンド４０との間には、壁２と基板グラウンド４０とが電気的に接続されるか否かを切り替える、ＯＮ／ＯＦＦスイッチ６０が設けられる。具体的には、検出回路３０と基板グラウンド４０との電気的接続と導電性部材５０との間にＯＮ／ＯＦＦスイッチが設けられる。このＯＮ／ＯＦＦスイッチ６０は、検出回路３０と基板グラウンド４０とを接続する電気的接続と、壁２と電気的に接続されている導電性部材５０と、の間を接続する、もしくは、接続を切ることによって、壁２と基板グラウンド４０とが電気的に接続されるか否かを切り替える。
【００４６】
このように、本発明の一態様に係る操作入力装置１２によれば、建築部材の壁２と基板グラウンド４０との間にＯＮ／ＯＦＦスイッチ６０が設けられているため、例えば、操作入力装置１２を建築部材の壁２に施工するときにおいて、ＯＮ／ＯＦＦスイッチ６０を切って（壁２と基板グラウンド４０の電気的接続を切って）操作入力装置１２の取付作業を行い、取付作業後にＯＮ／ＯＦＦスイッチ６０を入れて基板グラウンド４０と建築部材の壁２とを電気的に接続することができる。そのため、施工中に金属を含む建築部材の壁２に電気が流れてしまうことを抑制し、施工者の安全性を高めることができる。
【００４７】
また、操作入力装置１２は、静電容量センサよりも、操作入力装置１２が固定される建築部材の壁２側に、確認用静電容量センサ７０が設けられる。この確認用静電容量センサ７０は、静電容量センサ２０よりも建築部材の壁２に近い位置に設けられるため、静電容量センサ２０に比べて、金属を含む建築部材の壁２の影響を受けやすい。この確認用静電容量センサ７０は信号線を介して検出回路３０に接続される。
【００４８】
ここで、検出回路３０は、判定部３１と、切り替え制御部３２と、を有する。判定部３１は、確認用静電容量センサ７０（または静電容量センサ２０）の静電容量の変化に基づいて建築部材の壁２と基板グラウンド４０とが電気的に接続されるか否かを判定する。これにより、例えば導電性部材５０が、建築部材の壁２に対して電気的に接続されるように固定されているか否かを判定することができる。
判定部３１によって判定された検出結果は、操作入力装置１２の報知部８０から、例えば操作入力装置の施工者へ報知される。
なお、検出精度の観点から、判定部３１は、確認用静電容量センサ７０の静電容量の変化に基づいて、建築部材の壁２と基板グラウンド４０とが電気的に接続されているか否かを判定する構成が好ましいが、静電容量センサ２０の静電容量の変化に基づいて、建築部材の壁２と基板グラウンド４０とが電気的に接続されているか否かを判定する構成であってもよい。
また、判定部３１と切り替え制御部３２は、検出回路３０に設けられる構成を説明したが、検出回路とは別に、判定部３１もしくは切り替え制御部３２が設けられてもよい。
【００４９】
検出回路３０の切り替え制御部３２は、ＯＮ／ＯＦＦスイッチ６０を自動で切り替える。具体的には、検出回路３０の切り替え制御部３２からＯＮ／ＯＦＦスイッチ６０へ指令信号を送信し、ＯＮ／ＯＦＦスイッチ６０は、受け取った指令信号に基づいて、検出回路３０と基板グラウンド４０との間と、壁２と電気的に接続されている導電性部材５０と、の間を接続する、もしくは、接続を切るように構成されている。
なお、操作性の観点から、ＯＮ／ＯＦＦスイッチ６０は、切り替え制御部３２によって自動的に切り替えられる構成が好ましいが、例えば施工者が手動でＯＮ／ＯＦＦスイッチ６０を切り替えられるように構成されていてもよい。具体的には、浴室２の外側（壁２の外側）にハードスイッチを設け、ハードスイッチの操作により、ＯＮ／ＯＦＦスイッチ６０が切り替えられるように構成されていてもよい。
【００５０】
このように、本発明の一態様に係る操作入力装置１２によれば、ＯＮ／ＯＦＦスイッチ６０を自動で切り替えるとともに、確認用静電容量センサ７０（または静電容量センサ２０）の静電容量の変化量に基づいて建築部材の壁２と基板グラウンド４０とが電気的に接続されているか否かを判定するため、操作入力装置１２が施工不良の状態であることを判定することができる。これにより、操作入力装置１２の施工不良を抑制することができる。
【００５１】
また、本発明の一態様に係る操作入力装置１２によれば、使用者の操作の検出に用いられる静電容量センサ２０に比べて、より建築部材の壁２に近い側に確認用静電容量センサ７０を備えるため、より正確に、基板グラウンド４０と建築部材の壁２とが電気的に接続されているか否かを判定することができる。
【００５２】
さらに、本発明の一態様に係る操作入力装置１２によれば、判定部３１の検出結果を、報知部８０により報知するため、より確実に操作入力装置１２の施工不良を抑制することができる。
【００５３】
（第三実施形態）
次に、図５を参照して、本発明の第三実施形態に係る操作入力装置について説明する。なお、前述した実施形態と同様の部分については、同一の符号を付し、説明は省略する。
【００５４】
図５は、本発明の第三実施形態に係る操作入力装置の要部構成を表すブロック図である。
【００５５】
図５に示すように、第三実施形態に係る操作入力装置１３においては、前述した操作入力装置１１に比べて、低周波除去手段９０が設けられている。
低周波除去手段９０は、例えばハイパスフィルタであり、壁２と基板グラウンド４０との間に設けられる。より具体的には、基板グラウンド４０と導電性部材５０との間に設けられ、一端が検出回路３０と基板グラウンド４０に接続され、他端が導電性部材５０と信号線によって接続される。低周波除去手段９０によって、金属を含む建築部材である壁２から導電性部材５０を介して伝わってきたノイズが除去される。
【００５６】
このように、本発明の一態様に係る操作入力装置１３によれば、金属を含む建築部材である壁２と基板グラウンド４０との間に、低周波除去手段９０が設けられるため、建築部材の壁２からのノイズが、低周波除去手段９０により除去される。これにより、金属を含む建築部材の壁２の影響によって発生する誤検出をより確実に抑制することができる。
【００５７】
（第四実施形態）
次に、図６を参照して、本発明の第四実施形態に係る操作入力装置について説明する。なお、前述した実施形態と同様の部分については、同一の符号を付し、説明は省略する。
【００５８】
図６は、本発明の第四実施形態に係る操作入力装置の要部構成を表すブロック図である。
【００５９】
図６に示すように、第四実施形態に係る操作入力装置１４においては、前述した操作入力装置１１に比べて、ノイズ保護回路１００が設けられている。
ノイズ保護回路１００は、壁２と基板グラウンド４０との間に設けられる。より具体的には、基板グラウンド４０と導電性部材５０との間に設けられ、一端が検出回路３０と基板グラウンド４０に接続され、他端が導電性部材５０と信号線によって接続される。ノイズ保護回路１００によって、金属を含む建築部材である壁２から導電性部材５０を介して伝わってきたノイズが遮断される。
【００６０】
このように、本発明の一態様に係る操作入力装置１４によれば、金属を含む建築部材である壁２と基板グラウンド４０との間に、ノイズ保護回路１００が設けられるため、建築部材の壁２からのノイズが、ノイズ保護回路により遮断される。これにより、金属を含む建築部材の壁２の影響によって発生する誤検出をより確実に抑制することができる。
【００６１】
以上、本発明の実施の形態について説明したが、本発明はこれらの記述に限定されるものではない。前述の実施の形態に関して、当業者が適宜設計変更を加えたものも、本発明の特徴を備えている限り、本発明の範囲に包含される。例えば、操作入力装置が備える各要素の形状、寸法、材質、配置、設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【００６２】
例えば、操作入力装置が浴室機器を操作する構成を説明したが、金属を含む建築部材に固定される操作入力装置であればよく、操作入力装置がトイレ室に設けられ、トイレ室内の機器（例えば温水洗浄便座）を操作するものであってもよい。
【００６３】
また、例えば、低周波除去手段またはフィルタ保護回路が設けられる構成を説明したが、低周波除去手段とフィルタ保護回路の両方が設けられてもよい。
【符号の説明】
【００６４】
１    浴室
２    壁
２ａ〜２ｄ    第１〜第４の側壁
２ｅ  天井
２ｆ  床
３    ドア
１１、１２、１３、１４    操作入力装置
２０    静電容量センサ
３０    検出回路
３１    判定部
３２    切り替え制御部
４０    基板グラウンド（グラウンド）
５０    導電性部材
５１    ネジ
５２    ネジ挿通部
６０    ＯＮ／ＯＦＦスイッチ（スイッチ）
７０    確認用静電容量センサ
８０    報知部
９０    低周波除去手段
１００    ノイズ保護回路
【図１】
2019067531.tif 000003
【図２】
2019067531.tif 000004
【図３】
2019067531.tif 000005
【図４】
2019067531.tif 000006
【図５】
2019067531.tif 000007
【図６】
2019067531.tif 000008